(57)【要約】【課題】  事務机上の使用スペースを縮小可能なネットワーク電話信号の伝送及び通話が行えるキーパッドを提供する。【解決手段】  ケーシング２が設けられる。ケーシング２内にはコントロールユニット３と接続ポート２０が設けられる。コントロールユニット３内には受信したキーコード信号に対して処理を行うキーボードモジュール３０とキーパッドが受信したネットワーク電話信号に対して処理を行うネットワーク電話モジュール３２が設けられる。接続ポート２０は、コントロールユニット３と接続し、キーパッドと電子装置の間は互いに信号を伝送することが可能である。ケーシング２には音源レシーバ２２と音源発射器２４が設けられ、それぞれケーシング２内のエン／デコーダ２６に接続され、エン／デコーダ２６は更にコントロールユニット３に接続され、通話の目的が完成される。【選択図】    図３
2006033606.tif 000002
【特許請求の範囲】
【請求項１】
ネットワーク電話信号の伝送及び通話が行えるキーパッドであって、
ケーシングを備え、
コントロールユニットは、ケーシング内に設けられ、コントロールユニットは接続されている電子ユニットに対して操作制御処理を行うことが可能であり、
キーボードモジュールは、コントロールユニット内に設けられ、コントロールユニットはキーボードモジュールを利用して受信したキーコード信号に対して処理を行うことが可能であり、
ネットワーク電話モジュールは、コントロールユニット内に設けられ、そのコントロールユニットはネットワーク電話モジュール（３２）を利用して受信したネットワーク電話信号に対して処理を行うことが可能であり、
接続ポートは、ケーシングに設けられ、かつコントロールユニットに接続され、接続ポートによってキーパッドを電子装置に接続し、
音源レシーバは、ケーシングの一端に設けられ、
音源発射器は、ケーシングの他端に設けられ、
エン／デコーダは、ケーシング内に設けられ、かつコントロールユニットに接続され、コントロールユニットにより処理されたネットワーク電話信号はエン／デコーダによってデコードされた後、音源発射器へ伝送されて音源発射器から音声を送り出し、また音源レシーバが受信した音声はエン／デコーダによってエンコードされた後、コントロールユニットへ伝送して後続の処理を行い、そして接続ポートから伝送され、
キーボードセットは、ケーシングの音源レシーバと音源発射器の間に設けられ、
矩形回路は、ケーシング内のキーセットに相対する位置に設けられ、キーセットに設けられているキーが押されると矩形回路は接触され、そのために矩形回路にキーパルス信号が発生し、コントロールユニットへ伝送されて後続処理が行われることを特徴とするネットワーク電話信号の伝送及び通話が行えるキーパッド。
【請求項２】
キーセットには少なくとも複数個の数字キー、方向キー及び機能キー、複数個の演算符号キー、モード切替キー、数字ロックキー及び電話受けと電話切りキーが含まれ、それらキーの一部はケーシングに伸入し、キーが押されると矩形回路は作動しキーパルス信号を発生することが可能であることを特徴とする請求項１記載のネットワーク電話信号の伝送及び通話が行えるキーパッド。
【請求項３】
モード切替キーが押されると、コントロールユニットではその矩形回路に発生した対応のキーパルス信号によって切り替え信号が発生し、更にその切り替え信号によってキーパッドは符号入力操作モードまたはネットワーク電話操作モード間で切り替えを行うことが可能であり、矩形回路の後続に発生したキーパルス信号は現在の操作モードによってキーボードモジュール、ネットワーク電話モジュールまたはコントロールユニットへ伝送され、後続処理を行うことが可能であることを特徴とする請求項２記載のネットワーク電話信号の伝送及び通話が行えるキーパッド。
【請求項４】
キーパッドは符号入力操作モードに於いて、コントロールユニットはそれら数字キー、方向キー、演算キー及び機能キー、演算符号キー及び数字ロックキーが押された後にその矩形回路の後続に発生した対応のキーパルス信号により、キーボードモジュールを利用して各種違ったキーコード信号を発生することが可能であることを特徴とする請求項２記載のネットワーク電話信号の伝送及び通話が行えるキーパッド。
【請求項５】
キーパッドはネットワーク電話操作モードに於いて、コントロールユニットはそれら数字キー、方向キー及び機能キー、電話受け及び電話切りキーまたは演算符号キーが押された後にその矩形回路に発生した対応のキーパルス信号により、そのネットワーク電話モジュールを利用して各種違った電話掛け信号を発生することが可能であることを特徴とする請求項２記載のネットワーク電話信号の伝送及び通話が行えるキーパッド。
【請求項６】
キーパッドはネットワーク電話操作モードに於いて、ネットワーク電話モジュールはプラス演算符号キーが押された後に矩形回路に発生した対応のキーパルス信号を受信し、キーパルス信号によって対応の電話掛け信号が発生し、更にネットワーク電話モジュールによってその電話掛け信号を音源発射器へ伝送し、音源発射器は電話掛け信号によって音量を増大することが可能であることを特徴とする請求項２記載のネットワーク電話信号の伝送及び通話が行えるキーパッド。
【請求項７】
キーパッドはネットワーク電話操作モードに於いて、ネットワーク電話操作モジュールはマイナス演算符号が押された後に矩形回路に発生した対応のキーパルス信号を受信し、そのキーパルス信号によって対応の電話掛け信号が発生し、更にネットワーク電話モジュールによってその電話掛け信号を音源発射器へ伝送し、音源発射器は電話掛け信号によって音量を小さくすることが可能であることを特徴とする請求項２記載のネットワーク電話信号の伝送及び通話が行えるキーパッド。
【請求項８】
キーパッドはネットワーク電話操作モードに於いて、ネットワーク電話モジュールはそれら数字キー、方向キー及び機能キーが押された後に矩形回路に発生する対応のキーパルス信号を受信することが可能であり、並びにそのキーパルス信号によって電話掛け信号が発生し、かつその電話掛け信号が充分累積されると一組の電話番号に構成され、更にそのネットワーク電話モジュールはその電話番号によって電話を遠方の受け側へ掛けることが可能であることを特徴とする請求項２記載のネットワーク電話信号の伝送及び通話が行えるキーパッド。
【請求項９】
キーパッドがまだ通話していない時に、もしコントロールユニットが接続ポートから伝送されたネットワーク電話信号を受信すれば、コントロールユニットはそのネットワーク電話信号によって通知信号を発生し、エン／デコーダへ伝送されてデコードされ、更に音源発射器へ伝送されてベル音を発生することが可能であることを特徴とする請求項２記載のネットワーク電話信号の伝送及び通話が行えるキーパッド。
【請求項１０】
音源発射器がベル音を発生し、かつその電話受け及び電話切りキーが押さえられると、ネットワーク電話モジュールは矩形回路に発生する対応のキーパルス信号によって対応の電話掛け信号を発生し、そのためにそのネットワーク電話モジュールは後続のネットワーク電話信号に対して処理を行い、並びに音源発射器及び音源レシーバを利用して通話を行うことが可能であることを特徴とする請求項９記載のネットワーク電話信号の伝送及び通話が行えるキーパッド。
【請求項１１】
ケーシングの観察しやすい個所にディスプレーが設けられ、ディスプレーはコントロールユニットに接続され、コントロールユニットにてディスプレー信号が発生してディスプレーへ伝送され、ディスプレーはディスプレー信号によって対応のディスプレー画面を出力することが可能であることを特徴とする請求項１記載のネットワーク電話信号の伝送及び通話が行えるキーパッド。
【請求項１２】
コントロールユニットはネットワーク電話モジュールによってネットワーク電話信号に対して解析を行い、ネットワーク電話信号から発送側の來源情報を取得することが可能であり、更にコントロールユニットはそれら来源情報によって対応のディスプレー信号を発生し、並びにディスプレーへ伝送し、ディスプレーはディスプレー信号によって対応のディスプレー画面を出力することが可能であることを特徴とする請求項１１記載のネットワーク電話信号の伝送及び通話が行えるキーパッド。
【請求項１３】
ケーシングには更に別にコネクターが設けられ、コネクターは外接型受発話機と接続することが可能であり、並びにそのエン／デコーダ及びコントロールユニットに接続され、かつ別のコネクターは外接型受発話機に接続された状態に於いて、接続信号をコントロールユニットへ発信し、コントロールユニットはそれによって中止信号を音源発射器及び音源レシーバへ発信し、音源発射器及び音源レシーバの運転を停止させ、外接型受発話機だけから音声を送り出し及び音声を受けることを特徴とする請求項１記載のネットワーク電話信号の伝送及び通話が行えるキーパッド。
【請求項１４】
コントロールユニットには更に計算機モジュールが設けられ、モード切替キーが押されると切り替え信号が発生し、コントロールユニットは切り替え信号によってキーパッドを符号入力操作モード、ネットワーク電話操作モードまたは計算機操作モードの間で切り替えを行うことが可能であり、それによって矩形回路の後続に発生したキーパルス信号は、現在の操作モードによってそれぞれそのコントロールユニット、キーボードモジュール、ネットワーク電話モジュールまたは計算機モジュールへ伝送し、後続の処理を行うことが可能であることを特徴とする請求項１１記載のネットワーク電話信号の伝送及び通話が行えるキーパッド。
【請求項１５】
計算機モジュールはそれら数字キー、方向キー及び機能キー、演算符号キー及び数字ロックキーが押された後にその矩形回路に発生したキーパルス信号を受信することが可能で、並びにそのキーパルス信号によって対応の計算信号が発生してコントロールユニットへ伝送され、更にそのコントロールユニットはそれら計算信号によって対応のディスプレー信号が発生してディスプレーへ伝送され、そのディスプレーはそのディスプレー信号によって対応のディスプレー画面を出力することが可能であることを特徴とする請求項１４記載のネットワーク電話信号の伝送及び通話が行えるキーパッド。
【請求項１６】
キーセットには更に発送キーが含まれ、その発送キーが押されると矩形回路はそれに発生したキーパルス信号を計算機モジュールへ伝送し、その計算機モジュールに発送信号が発生し、それによって現在ディスプレーに現われている画面情報は接続ポートを経て電子装置へ伝送し、後続の処理が行われることを特徴とする請求項１５記載のネットワーク電話信号の伝送及び通話が行えるキーパッド。
【請求項１７】
ケーシングには発光部材が設けられ、数字ロックキーが押されると矩形回路は対応のキーパルス信号をコントロールユニットへ伝送し、コントロールユニットに対応の発光信号が発生し、並びに発光部材へ伝送して発光部材の発光状態を変更することを特徴とする請求項２記載のネットワーク電話信号の伝送及び通話が行えるキーパッド。
【請求項１８】
ディスプレーには第一操作状態ディスプレーエリア及び第二操作状態ディスプレーエリアが設けられ、第一操作状態ディスプレーエリア及び第二操作状態ディスプレーエリアはそれぞれ違った符号をディスプレーしてキーパッド現在の操作モードを表すことが可能であることを特徴とする請求項１４記載のネットワーク電話信号の伝送及び通話が行えるキーパッド。
【請求項１９】
モード切替キーが押されると、コントロールユニットはその切り替え信号によってキーパッドは符号入力操作モードまたはネットワーク電話操作モード及び計算機操作モードの間で切り替えを行うことが可能であり、同時に、コントロールユニットでは切り替え信号によって対応のディスプレー信号が発生し、並びにディスプレーへ伝送されてディスプレーの第一操作状態ディスプレーエリアまたは第二操作状態ディスプレーエリアに対応の画面がディスプレーされることを特徴とする請求項１８記載のネットワーク電話信号の伝送及び通話が行えるキーパッド。
【請求項２０】
ネットワーク電話モジュールが処理を行っている場合、その電話受け及び電話切りキーをある一定時間押すと、その矩形回路はある一定時間内に絶えずキーパルス信号をネットワーク電話モジュールへ伝送し、ネットワーク電話モジュールに対応の電話掛け信号を発生し、それによってネットワーク電話モジュールは後続のネットワーク電話信号を切断し、通話を停止させることを特徴とする請求項２記載のネットワーク電話信号の伝送及び通話が行えるキーパッド。
【請求項２１】
キーパッドがネットワーク電話モードに於いて、コントロールユニットがある持続した時間に矩形回路から伝送されたキーパルス信号を受信していなければ、そのコントロールユニットは自動的にキーパッドをネットワーク電話モードから前の操作モードへ戻すことを特徴とする請求項３記載のネットワーク電話信号の伝送及び通話が行えるキーパッド。
【発明の詳細な説明】
【技術分野】
【０００１】
本発明は、キーパッドに関する。
【背景技術】
【０００２】
一般事務卓のほとんどには電話、パソコンのモニター、パソコン本体、書類、キーボードまたはマウス等が置かれているが、ある場所では使用者は数字だけを入力し、またはカーソルを移動するだけの装置を必要とし、キーボード右側の数字キーエリア、方向キーエリア、または機能キーエリアだけを使用するので、体積のやや小さい、図１に示すようなのキーパッドと言う小型入力装置だけを置き、キーボード右側の数字キーエリア、方向キーエリア、または機能キーエリアと入れ替え、図３に示すように、広い置き空間を占めないようにしている。
【０００３】
現在の主流はすべて公衆交換電話ネットワーク（Public  Switched  Telephone  Network  略してPSTNと称す）を通じているが、それの主要は各国の電信局、または電信公社によって各種回路の切り替えを行い、電話がつながると掛け出し側と受話側の線路は一本の専用回線になるので、掛け出し側は距離によって費用を払わなければならず、もしそれが国際電話であれば費用はかなり高くなる。また会社が音声、視聴またはその他情報を処理する場合、そのすべては個別のネットワークを設置して伝送しなければならない。ところが、各種ネットワークとも違った伝送要求があるので、それの据付、メンテナンス及び再組み合わせのコストはかなり高くなる。甚だしくは各ネットワークのソフトウェアー、ハードウェアーの構造が完全に違うので、各ネットワークを互いに統合することが非常に難しく、そのためにそれらの潜在的用途は制限される。
【０００４】
ここ数年来、インターネットが盛んになり、ブロードバンドネットワークも世界各地で続々と敷設され、人々は各種インターネットプロトコール（Internet  Protocol  略してIPと称す）を利用して音声、視聴またはその他情報を処理し、並びにデータパケットの形式をもってインターネットに於ける即時の音声、視聴またはその他情報の伝送を行い、そのためにそれは新興の技術にもなっている。
【０００５】
また、ネットワーク音声伝送技術から言えば、それはインターネット電話（Internet  Protocol  Phone）、インターネット言語協定（Voice  over  Internet  Protocol  略してVoIPと称す）及び若干のネットワーク装置（例えばVoIP  Gateway）等から構成され、それによって掛け出し側のネットワーク電話が受信した音声はインターネット言語協定によってデジタル化及び圧縮され、更にパケットの形態をもってインターネットを通じて受信側へ伝送され、その受信側のネットワーク電話及びネットワーク装置は更にインターネット言語協定の逆方向操作の利用により、送り出し側が送り出した音声を聞くことが可能で、それによって通話機能が執行され、使用者は伝統的公衆電話ネットワーク（PSTN）を通じて遠距離電話の談話を行う必要がなく、多くの長距離電話料金を省くことが可能となる。
【発明の開示】
【発明が解決しようとする課題】
【０００６】
しかしながら、もし会社が伝統的電話をネットワーク電話に変える場合、事務卓上にはやはりネットワーク電話、パソコンのモニター、パソコン本体、書類、キーパッド、キーボードまたはマウス等品物が置かれ、事務机上に置かれる品物の位置は伝統的電話からネットワーク電話に変えられているが如何なる場所が空かれていなく、これは大面積の事務机を必要とする使用者から云えば、実に困ったことであり、もしネットワーク電話を卓上に置いて使用される電子装置（例えばキーボード）に結合することができれば、この問題を解決することが可能となる。
【０００７】
したがって本発明の目的は、事務机上の使用スペースを縮小可能なネットワーク電話信号の伝送及び通話が行えるキーパッドを提供することにある。
【課題を解決するための手段】
【０００８】
上述の目的を達成するために本発明の請求項に記載のネットワーク電話信号の伝送及び通話が行えるキーパッドは、ケーシングが設けられる。ケーシング内にはコントロールユニットが設けられている。コントロールユニット内にはキーボードモジュールが設けられ、キーボードモジュールを利用して受信したキーコード信号に対して処理を行うことが可能である。また、コントロールユニット内にはネットワーク電話モジュールが設けられ、ネットワーク電話モジュールを利用してキーパッドが受信したネットワーク電話信号に対して処理を行うことが可能である。ケーシングには電子装置（例えばコンピュータの本体）との接続に供される接続ポートが設けられ、コントロールユニットと接続し、そのためにキーパッドと電子装置の間は互いに信号を伝送することが可能である。また、そのケーシングの一端には音源レシーバ（例えばマイクロフォン）が設けられ、他端には音源発射器（例えばスピーカ）が設けられている。音源レシーバと音源発射器はそれぞれケーシング内に設けられてあるエン／デコーダに接続され、そのエン／デコーダは更にコントロールユニットに接続される。コントロールユニットで処理されたネットワーク電話信号はエン／デコーダによってデコードされてから音源発射器へ伝送され、音源発射器から音声を送り出す。音源レシーバが受信した音声はエン／デコーダによってエンコードされ、コントロールユニットへ伝送されて後続処理を行い、そして接続ポートから送り出され、通話の目的が完成される。
【発明を実施するための最良の形態】
【０００９】
以下、本発明の実施例を図面に基づいて、説明する。
図２及び図３に示すように、それにはケーシング２が設けられ、ケーシング２内にはコントロールユニット３が設けられている。コントロールユニット３はそれに接続されている電子ユニットに対して操作制御処理を行うことが可能である。その内部には主要にキーボードモジュール３０及びネットワーク電話モジュール３２が設けられ、コントロールユニット３はキーボードモジュール３０を利用して受信したキーコード信号に対して処理を行うことが可能である。コントロールユニット３はネットワーク電話モジュール３２を利用してそれが受信したネットワーク電話信号に対して処理を行うことが可能である。ケーシング２には電子装置（例えばコンピュータの本体）との接続に供される接続ポート２０（例えばＵＳＢ）が設けられる。接続ポート２０はコントロールユニット３に接続され、キーパッドと電子装置間は互いに信号を伝送することが可能である。更にケーシング２の一端には音源レシーバ２２（例えばマイクロフォン）が設けられ、他端には音源発射器２４（例えばスピーカ）が設けられ、音源レシーバ２２と音源発射器２４はそれぞれケーシング内に設けられているエン／デコーダ２６に接続され、エン／デコーダ２６は更にコントロールユニット３に接続される。
【００１０】
遠方から電子装置に送られたネットワーク電話信号は接続ポート２０からネットワーク電話モジュール３２へ伝送し、ネットワーク電話モジュール３２はネットワーク電話信号に対して処理を行い、更にエン／デコーダ２６を通じてデコードを行い、それから音源発射器２４へ伝送されて音声を送り出す。また、音源レシーバ２２が受信した音声をエン／デコーダ２６によってエンコードされた後、ネットワーク電話モジュール３２へ伝送して後続の処理を行い、そして接続ポート２０から電子装置へ伝送し、更にその電子装置から遠方の受信側（例えばネットワーク電話）へ伝送する。
【００１１】
本発明の一実施例に於いて、ケーシング内には矩形回路２８が設けられ、その矩形回路２８はコントロールユニット３に接続される。発生するキーパルス信号をキーボードモジュール３０へ伝送し、後続処理を行って各種違ったキーコード信号が発生させる。また、発生したキーパルス信号をネットワーク電話モジュール３２へ伝送し、後続の処理を行って各種違った掛け出し信号を発生させる。また、発生したキーパルス信号をコントロールユニット３へ伝送し、後続の処理を行って各種違った制御信号を発生させる。
【００１２】
本実施例に於いて、ケーシング２の表面の矩形回路２８に相対する位置にはキーセット４が設けられ、そのキーセットには少なくても複数個の数字キー、方向キー及び機能キー４０（例えば０から９、００等数字）、複数個の演算符号キー４２（例えば＋、−、ｘ、÷等演算符号）、モード切替キー４４及び数字ロックキー４６（Number  Lock  Key）及び電話受けと電話切りキー４８が含まれる。それらキーの一部はケーシング３に伸入し、そのためにキーが押されるとコントロールユニット３はその矩形回路２８を作動してキーパルス信号を発生することが可能である。その中、モード切替キー４４が押されるとコントロールユニット３はその矩形回路２８に発生した対応のキーパルス信号によって切り替え信号を発生することが可能である。更にその切り替え信号によってそのキーパッドの符号入力操作モードまたはネットワーク電話操作モード間で切り替えを行う。そのために矩形回路２８の後続に発生したキーパルス信号は現在の操作モードによってキーボードモジュール３０、ネットワーク電話モジュール３２またはコントロールユニット３へ伝送する。後続処理を行って数字、方向、演算または機能指令等の入力を完成し、または電話を掛ける、電話を受ける、電話を切る、音源発射器から出す音声の音量を増減する等操作処理を完成することが可能となる。
【００１３】
このように、キーパッドがその符号入力操作モードに於いて、それら数字キー、方向キー及び機能キー４０、演算符号キー４２及び数字ロックキー４６が押されると、矩形回路２８はそれに発生した対応のキーパルス信号をキーボードモジュール３０へ伝送し、キーボードモジュール３０で各種違ったキーコード信号を発生することが可能である。更に接続ポート２０より電子装置へ伝送され、処理が行われて数字、方向、演算または機能指令等の入力を完成するが、このような状態に於いて、そのネットワーク電話モジュール３２は依然ネットワーク電話信号を伝送することが可能で、引き続き通話を行ってキーボードモジュール３０の運行は干渉されない。
【００１４】
また、キーパッドがそのネットワーク電話操作モードに於いて、それら数字キー、方向キー及び機能キー４０、電話受けと電話切りキー４８または演算符号キー４２（例えばプラス演算符号キー及びマイナス演算符号キー）が押されると、その矩形回路２８に対応のキーパルス信号が発生する。並びにネットワーク電話モジュール３２へ伝送され、そのためにそのネットワーク電話モジュール３２はそれらキーパルス信号によってそれぞれ違う接続信号が発生する。更にそれら接続ポート２０から電子装置またはその他ユニットへ伝送されて後続処理を行い、電話を掛ける、電話を受ける、電話を切る、音源発射器から出された音声の音量を増減する等操作処理を完了する。
【００１５】
矩形回路２８がキーパルス信号をネットワーク電話モジュール３２へ伝送された時のそのネットワーク電話モジュール３２が電話掛け信号に対する処理方式をより一層了解するため、ここに特にキーパッドがネットワーク電話操作モードに設定され、そのプラス演算符号キー及びマイナス演算符号キーが押された後の操作状態を取り上げ、次の如く説明する。
【００１６】
プラス演算符号キーが押されると、その矩形回路２８には対応のキーパルス信号が発生してそのネットワーク電話モジュール３２に伝送され、そのネットワーク電話モジュール３２に対応の電話掛け信号が発生して音源発射器２４に伝送され、その音源発射器２４は電話掛け信号によって音量を増大する。マイナス演算符号キーが押されると、矩形回路２８には対応のキーパルス信号が発生してそのネットワーク電話モジュール３２に伝送され、そのネットワーク電話モジュール３２に対応の電話掛け信号が発生して音源発射器２４に伝送され、その音源発射器２４は電話掛け信号によって音量を小さくする。
【００１７】
それら数字キー、方向キー及び機能キー４０が押されると、その矩形回路２８には対応のキーパルス信号が発生してネットワーク電話モジュール３２へ伝送し、それによってそのネットワーク電話モジュール３２に対応の電話掛け信号が発生し、かつその電話掛け信号が充分累積されると一組の電話番号に構成され、更にそのネットワーク電話モジュール３２はその電話番号によって電話を遠方の受け側へ掛け出す。
【００１８】
また、キーパッドがまだ通話していない時に、もしその接続ポート２０からネットワーク電話信号をコントロールユニット３へ伝送すれば、そのコントロールユニット３はそのネットワーク電話信号によって通知信号を発生させる。エン／デコーダ２６へ伝送されてデコードされ、更にその音源発射器２４へ伝送されてベル音が発生し、電話があることを知らせる。音源発射器２４がベル音を発生して電話があると知らした場合、もしその電話受け及び電話切りキー４８が押されると、その矩形回路２８には対応のキーパルス信号が発生してネットワーク電話モジュール３２へ伝送され、そのネットワーク電話モジュール３２には対応の掛け出し信号が発生し、そのためにそのネットワーク電話モジュールは後続のネットワーク電話信号に対して処理を行い、音源発射器２４及び音源レシーバ２２を利用して通話を行うことが可能である。
【００１９】
本実施例に於いて、そのキーパッドがネットワーク電話モードにあって、そのコントロールユニット３がある持続した時間に矩形回路２８から伝送されたキーパルス信号を受信していなければ、そのコントロールユニット３は自動的にキーパッドをネットワーク電話モードから符号入力操作モードへ切り替え、または前の操作モードへ戻す。
【００２０】
本実施例に於いて、ケーシング２の観察しやすい個所にディスプレー２１が設けられ、そのディスプレー２１はコントロールユニット３に接続され、コントロールユニット３はそれらキーコード信号、掛け出し信号または切り替え信号によって対応のディスプレー信号が発生し、並びにそのディスプレー２１へ伝送する。ディスプレー２１はディスプレー信号によって対応のディスプレー画面を出力することが可能で、このように、使用者はそのディスプレー画面からキーパッド現在の操作状態、入力された数字または掛け出した番号等を観察することが可能となる。
【００２１】
キーパッドが受信したネットワーク電話信号の発送側がディスプレー可能とするため、本発明の実施例では、コントロールユニット３はネットワーク電話モジュール３２によってネットワーク電話信号に対して解析を行い、そのネットワーク電話信号から発送側の來源情報（例えば発送側のネットワーク位置、電話番号等情報）を取得することが可能である。更にそのコントロールユニット３はそれら来源情報によって対応のディスプレー信号が発生し、並びにそのディスプレー２１へ伝送され、ディスプレー２１はディスプレー信号によって対応のディスプレー画面を出力することが可能である。
【００２２】
本実施例に於いて、ケーシング２には更に別にコネクター２３が設けられ、そのコネクター２３は外接型受発話機と接続することが可能である。並びにそのエン／デコーダ２６及びコントロールユニット３に接続され、かつ別のコネクター２３は外接型受発話機に接続された状態に於いて、接続信号をそのコントロールユニット３へ発信する。コントロールユニット３はそれによって中止信号を音源発射器２４及び音源レシーバ２２へ発信し、その音源発射器２４及び音源レシーバ２２の運転を停止させ、外接型受発話機だけから音声を送り出し及び音声を受ける。
【００２３】
本発明の別の実施例に於いて、そのコントロールユニット３には更に計算機モジュール３４が設けられ、モード切替キー４４が押されると切り替え信号が発生し、コントロールユニット３は切り替え信号によってキーパッドを符号入力操作モード、ネットワーク電話操作モードまたは計算機操作モードの間で切り替えを行うことが可能となる。これによって矩形回路２８の後続に発生したキーパルス信号は、現在の操作モードによってそれぞれそのコントロールユニット、キーボードモジュール、ネットワーク電話モジュールまたは計算機モジュールへ伝送し、後続の処理を行うことが可能である。
【００２４】
それら数字キー、方向キー及び機能キー４０、演算符号キー４２及び数字ロックキー４６が押されると、その矩形回路２８には対応のキーパルス信号が発生して計算機モジュール３４へ伝送する。計算機モジュール３４は違ったキーパルス信号によって違った計算信号を発生することが可能であり、コントロールユニット３へ伝送する。更にそのコントロールユニット３はそれら計算信号によって対応のディスプレー信号（例えば、数字ディスプレー及び計算結果ディスプレー等）が発生してディスプレー２１へ伝送され、そのディスプレー２１はそのディスプレー信号によって対応のディスプレー画面を出力することが可能である。
【００２５】
本実施例に於いて、そのキーセット４には更に発送キー４１が含まれ、その発送キー４１が押されると矩形回路２８はキーパルス信号を計算機モジュール３４へ伝送する。計算機モジュール３４に発送信号が発生し、それによって現在ディスプレー２１に現われている画面情報は接続ポート２０を経て電子装置へ伝送され、後続の処理が行われる。
【００２６】
本実施例に於いて、ケーシング２には発光部材２５が設けられ、その数字ロックキー４６が押されると矩形回路２８は対応のキーパルス信号をコントロールユニット３へ伝送し、コントロールユニット３に対応の発光信号が発生する。並びに発光部材２５へ伝送されて発光部材２５の発光状態を変更する。使用者は発光部材２５の発光状態によってキーパッドの数字ロックキー４６が開または閉であるかを観察することが可能である。
【００２７】
本実施例に於いて、ディスプレー２１には第一操作状態ディスプレーエリア２７及び第二操作状態ディスプレーエリア２９が設けられ、第一操作状態ディスプレーエリア２７及び第二操作状態ディスプレーエリア２９はそれぞれ違った符号（例えば、photo、calまたは図案等）をディスプレーしてキーパッド現在の操作モードを表すことが可能である。モード切替キー４４が押されると、コントロールユニット３はその切り替え信号によってキーパッドは符号入力操作モードまたはネットワーク電話操作モード及び計算機操作モードの間で切り替えを行うことが可能で、それと同時に、コントロールユニット３は切り替え信号によって対応のディスプレー信号が発生する。ディスプレー２１へ伝送されてディスプレー２１の第一操作状態ディスプレーエリア２７または第二操作状態ディスプレーエリア２９に対応の画面がディスプレーされ、このように、使用者はそのディスプレー画面によってキーパッド現在の操作状態を観察することが可能である。
【００２８】
キーパッドが通話を行っている時に、間違ってネットワーク電話信号を触って通話が切断されることを避けるため、ネットワーク電話モジュール３２が処理を行っている場合、電話受け及び電話切りキー４８をある一定時間押すと、矩形回路２８はある一定時間内に絶えずキーパルス信号をネットワーク電話モジュール３２へ伝送する。ネットワーク電話モジュール３２に対応の電話掛け信号が発生し、それによってネットワーク電話モジュール３２は後続のネットワーク電話信号を切断し、通話を停止させる。
【００２９】
以上をまとめると、そのキーパッドは一般のキーパッドとネットワーク電話を一緒に結合し、それによってそのキーパッドは一般キーパッドの操作モード、またはネットワーク電話操作モードを使用することが可能で、甚だしくは更に一般計算機と結合し、それによってそのキーパッドには計算機操作モードが含まれる。操作モードに於いて直接そのキーパッドに設けられてあるキーセットを使い、数字、方向、演算または機能等指令の入力、及び電話を掛ける、電話を受ける、電話を切る、音源発射器から出される音声の音量の増減、及び数学演算等機能を完成することが可能である。キーパッド、ネットワーク電話及び計算機が結合される前の置き空間を占める問題を解決することが可能で、使用者の操作はより便利になる。
【００３０】
以上に述べたのは本発明の最適具体実施例だけであり、本発明の構造特徴はそれに局限されることなく、その技術を熟知するものが本発明の領域内に於いて簡単に考え出せる変化または改修は、すべて本案の特許範囲内に含まれるものである。
【図面の簡単な説明】
【００３１】
【図１】従来のキーパッドを示す外観図である。
【図２】本発明の一実施例によるネットワーク電話信号の伝送及び通話が行えるキーパッドを示す構造図である。
【図３】本発明の一実施例によるネットワーク電話信号の伝送及び通話が行えるキーパッドを示す外観図である。
【符号の説明】
【００３２】
２  ケーシング、３  コントロールユニット、２０  接続ポート、２２  音源レシーバ、２４  音源発射器、２６  エン／デコーダ、２８  矩形回路、３０  キーボードモジュール、３２  ネットワーク電話モジュール、４２  演算符号キー、４４  モード切替キー、４６  数字ロックキー、４８  電話受けと電話切りキー
【図１】
2006033606.tif 000003
【図２】
2006033606.tif 000004
【図３】
2006033606.tif 000005